(57)【要約】【課題】筒状のリールシートの後側に第一グリップ部と第二グリップ部を備えた釣竿において、リニアな操作性やダイレクト感のある操作性を得る。【解決手段】筒状のリールシート１の後側に硬質のグリップ管２を備え、該グリップ管２は、該グリップ管２の前部を構成する大径の第一グリップ部２０と、グリップ管２の後部を構成する大径の第二グリップ部２２と、第一グリップ部２０と第二グリップ部２２との間の部分を構成する小径部２１とを備えている。【選択図】図１
2019097508.tif 000002
【特許請求の範囲】
【請求項１】
筒状のリールシートの後側に硬質のグリップ管を備え、
該グリップ管は、該グリップ管の前部を構成する大径の第一グリップ部と、グリップ管の後部を構成する大径の第二グリップ部と、第一グリップ部と第二グリップ部との間の部分を構成する小径部とを備えていることを特徴とする釣竿。
【請求項２】
第一グリップ部と小径部との境界部分に環状角部が形成されている請求項１記載の釣竿。
【請求項３】
環状角部に隣接している小径部の前部は、後側に向けて外側凹に湾曲しつつ小径となる凹状湾曲形状である請求項２記載の釣竿。
【請求項４】
第二グリップ部と小径部との境界部分に環状角部が形成され、環状角部に隣接している小径部の後部は、後側に向けて外側凹に湾曲しつつ大径となる凹状湾曲形状である請求項３記載の釣竿。
【請求項５】
グリップ管は繊維強化樹脂製であって、グリップ管の小径部は径一定のストレート部を備えている請求項１乃至４の何れかに記載の釣竿。
【請求項６】
グリップ管の小径部は径一定のストレート部を備えており、竿本体がリールシートから後側に延びてグリップ管の内側を通ってグリップ管の小径部のストレート部に連結されている請求項１乃至４の何れかに記載の釣竿。
【請求項７】
竿本体は、リールシートから前側に延びるメイン竿体と、該メイン竿体の後部外側に接合され、リールシートから後側に延びてグリップ管の小径部のストレート部に連結された管状のジョイント竿体とを備え、該ジョイント竿体の外側にリールシートが装着されている請求項６記載の釣竿。
【請求項８】
ジョイント竿体は、径一定であって大径の前側接合部と、径一定であって小径の後側接合部と、前側接合部と後側接合部との間の部分を構成し、後側に向けて徐々に小径となる逆テーパ部とを備え、ジョイント竿体の前側接合部にリールシートとメイン竿体が取り付けられ、後側接合部にグリップ管の小径部のストレート部が取り付けられている請求項７記載の釣竿。
【請求項９】
グリップ管に尻栓が装着されており、竿本体がリールシートから後側に延びてグリップ管の内側を通って尻栓と連結されている請求項１乃至５の何れかに記載の釣竿。
【請求項１０】
リールシートの後端面から後側に向けて筒部が延設されており、該筒部がグリップ管の第一グリップ部の内側に挿入固定されている請求項１乃至９の何れかに記載の釣竿。
【請求項１１】
リールシートとグリップ管との間に支持筒体を備え、該支持筒体は、径方向外側に突出する環状鍔部と、該環状鍔部から前側に延びる前筒部と、環状鍔部から後側に延びる後筒部とを備えており、リールシートの後端面には環状凹部が形成されており、支持筒体の前筒部は、リールシートの後端面の環状凹部の内側に挿入固定され、後筒部は、グリップ管の第一グリップ部の内側に挿入固定され、環状鍔部は、リールシートの後端面とグリップ管の前端面との間に挟まれている請求項１０記載の釣竿。
【発明の詳細な説明】
【技術分野】
【０００１】
本発明は、筒状のリールシートの後側に第一グリップ部と第二グリップ部を備えた釣竿に関する。
【背景技術】
【０００２】
筒状のリールシートの後側に第一グリップ部と第二グリップ部を備える釣竿においては、竿体の外周面にコルクや発泡樹脂からなる筒状のグリップ体が前後一対装着され、前側のグリップ体から第一グリップ部が構成され、後側のグリップ体から第二グリップ部が構成されていた。このようにグリップ部をコルクや発泡樹脂から構成すると、素材が柔らかいためグリップ部を握りやすいという利点がある。その一方、竿体に伝わる振動がコルク等の素材によって減衰されやすく手に伝わりにくい。また、例えば重いルアーをキャストしたりするような場合には、グリップ部を強く把持することになるが、そのようにグリップ部を強く把持するとグリップ部が僅かに変形する。把持しているグリップ部が僅かに変形すると、釣竿と手との間の一体感が弱まることになる。
【先行技術文献】
【特許文献】
【０００３】
【特許文献１】特開２０１３−１２３０６５号公報
【特許文献２】特開２０１２−５３７８号公報
【発明の概要】
【発明が解決しようとする課題】
【０００４】
本発明は、筒状のリールシートの後側に第一グリップ部と第二グリップ部を備えた釣竿において、リニアな操作性やダイレクト感のある操作性を得ることを課題とする。
【課題を解決するための手段】
【０００５】
本発明は上記課題を解決すべくなされたものであって、本発明に係る釣竿は、筒状のリールシートの後側に硬質のグリップ管を備え、該グリップ管は、該グリップ管の前部を構成する大径の第一グリップ部と、グリップ管の後部を構成する大径の第二グリップ部と、第一グリップ部と第二グリップ部との間の部分を構成する小径部とを備えていることを特徴とする。尚、竿先側を前側とし、竿尻側を後側とする。
【０００６】
該構成の釣竿においては、グリップ管に第一グリップ部と第二グリップ部が一体的に形成されているため、振動伝達特性に優れており、第一グリップ部や第二グリップ部から振動が手にダイレクトに伝わることになる。また、第一グリップ部や第二グリップ部を強く把持したり、第一グリップ部や第二グリップ部に手を強く押し付けたりしても、第一グリップ部や第二グリップ部が変形しにくい。また、例えばキャストを行う際、シングルハンドキャストの場合には、片手でリールシートや第一グリップ部を把持してキャストすることになるが、その際、第一グリップ部が変形しにくいので、リニアでダイレクト感のあるキャストフィールが得られる。また、一方の手でリールシートや第一グリップ部を把持し、他方の手で第二グリップ部を把持してキャストするダブルハンドキャストを行うこともある。特に、重いルアーをキャストする際にはダブルハンドキャストは有効である。このようなダブルハンドキャストの場合においても、第一グリップ部と第二グリップ部が変形しにくいので、リニアでダイレクト感のあるキャストフィールが得られる。しかも、第一グリップ部と第二グリップ部が互いに分離独立した別部材の構成ではなく何れも一つの部材であるグリップ管に一体的に形成されているため、第一グリップ部を把持する手と第二グリップ部を把持する手との一体感が強く、両手がそれぞれ別々にぐらつくということがない。そのため、がっちりとした両手の握り心地でキャスト動作を行うことができる。従って、重いルアーであっても、ぶれなくキャストすることができ、微妙なコントロールも行いやすい。
【０００７】
特に、第一グリップ部と小径部との境界部分に環状角部が形成されていることが好ましい。このように第一グリップ部の後端部に環状角部を設けることで、第一グリップ部と小径部が環状角部によって明確に区画されることになる。そのため、釣り人は、環状角部の存在によって第一グリップ部の存在やその範囲を手の感触によって容易に認識することができ、第一グリップ部を確実に把持することができる。また、第一グリップ部と小径部との境界部分に環状角部が形成されていることにより、第一グリップ部を把持する手が小径部側に位置ずれしにくくなる。また、環状角部の後側に小指等の指を引っ掛けることもできる。そのため第一グリップ部をしっかりと把持することができ、手の疲労も軽減できる。
【０００８】
更に、環状角部に隣接している小径部の前部は、後側に向けて外側凹に湾曲しつつ小径となる凹状湾曲形状であることが好ましい。小径部の前部が環状角部に向けて迫り上がった形状となるので、環状角部の凸形状が際立つことになり、第一グリップ部がより一層明確に区画されることになる。また、環状角部の後側に指を引っ掛ける場合において、指の引っ掛かり具合がより一層良好になって第一グリップ部をより一層しっかりと把持できる。
【０００９】
また更に、第二グリップ部と小径部との境界部分にも環状角部が形成されていることが好ましく、環状角部に隣接している小径部の後部も、後側に向けて外側凹に湾曲しつつ大径となる凹状湾曲形状であることが好ましい。第二グリップ部の前端部に環状角部が形成されていることにより、第二グリップ部と小径部が環状角部によって明確に区画されることになる。従って、釣り人は、環状角部によって第二グリップ部の存在やその範囲を手の感触によって容易に認識することができ、第二グリップ部を確実に把持することができる。また、第二グリップ部と小径部との境界部分に環状角部が形成されていることにより、第二グリップ部を把持する手が小径部側に位置ずれしにくくなる。また、環状角部の前側に人差し指等の指を引っ掛けることもでき、第二グリップ部をしっかりと把持することができる。特に、ダブルハンドキャストを行う場合に効果が大きい。
【００１０】
また、グリップ管は繊維強化樹脂製であって、グリップ管の小径部は径一定のストレート部を備えていることが好ましい。グリップ管を繊維強化樹脂製とすることで軽量化と高剛性化を両立でき、振動伝達特性も優れている。また、マンドレルにプリプレグを貼り付けて加熱焼成することでグリップ管を形成するが、その際、マンドレルを前後二分割の構成として、前側のマンドレルと後側のマンドレルを前後に接合して一つのマンドレルとすることができる。そして、マンドレルの外周面にプリプレグを貼り付けて加熱焼成した後にマンドレルを引き抜く際には、前側のマンドレルと後側のマンドレルをそれぞれ前後に引き抜く。このようにマンドレルを前後二分割の構成とする場合に、グリップ管の小径部のストレート部の位置において前後のマンドレルを接合させることができる。ストレート部の長さの異なる複数の前側のマンドレルや後側のマンドレルを準備しておくことで、小径部のストレート部の長さの異なるグリップ管を容易に製造できる。
【００１１】
また、グリップ管の小径部は径一定のストレート部を備えており、竿本体がリールシートから後側に延びてグリップ管の内側を通ってグリップ管の小径部のストレート部に連結されていることが好ましい。グリップ管の小径部のストレート部を竿本体によって内側から支持することができる。また、リールシートとグリップ管を竿本体を介して連結することができる。
【００１２】
特に、竿本体は、リールシートから前側に延びるメイン竿体と、該メイン竿体の後部外側に接合され、リールシートから後側に延びてグリップ管の小径部のストレート部に連結された管状のジョイント竿体とを備え、該ジョイント竿体の外側にリールシートが装着されていることが好ましい。メイン竿体とは別体構成のジョイント竿体を設けることで、メイン竿体の設計上の制約を少なくすることができる。また、ジョイント竿体の直径もリールシートやグリップ管の小径部のストレート部に容易に適合させることができる。更に、ジョイント竿体の外側にリールシートを装着してジョイント竿体の内側にメイン竿体を接合することで、メイン竿体のバット部を過度に太くする必要がなくなり、美感に優れる。
【００１３】
更に、ジョイント竿体は、径一定であって大径の前側接合部と、径一定であって小径の後側接合部と、前側接合部と後側接合部との間の部分を構成し、後側に向けて徐々に小径となる逆テーパ部とを備え、ジョイント竿体の前側接合部にリールシートとメイン竿体が取り付けられ、後側接合部にグリップ管の小径部のストレート部が取り付けられていることが好ましい。該構成によれば、グリップ管の小径部のストレート部を容易に小径化することができ、第一グリップ部と第二グリップ部との間に大きな括れ形状を形成することができる。その括れ形状によって第一グリップ部と第二グリップ部を相対的に大径化でき、明確なグリップ形状を形成できる。
【００１４】
また、グリップ管に尻栓が装着されており、竿本体がリールシートから後側に延びてグリップ管の内側を通って尻栓と連結されていることが好ましい。該構成によれば、竿本体とグリップ管を尻栓を介して連結することができる。また、グリップ管をリールシートと尻栓で前後に狭持することもできる。
【００１５】
また、リールシートの後端面から後側に向けて筒部が延設されており、該筒部がグリップ管の第一グリップ部の内側に挿入固定されていることが好ましい。リールシートから後方に延びる筒部によってグリップ管の第一グリップ部を内側から支持することができる。また、筒部によってリールシートとグリップ管を連結することができる。
【００１６】
特に、リールシートとグリップ管との間に支持筒体を備え、該支持筒体は、径方向外側に突出する環状鍔部と、該環状鍔部から前側に延びる前筒部と、環状鍔部から後側に延びる後筒部とを備えており、リールシートの後端面には環状凹部が形成されており、支持筒体の前筒部は、リールシートの後端面の環状凹部の内側に挿入固定され、後筒部は、グリップ管の第一グリップ部の内側に挿入固定され、環状鍔部は、リールシートの後端面とグリップ管の前端面との間に挟まれていることが好ましい。リールシートとは別体に支持筒体を備えることで、該支持筒体を例えば金属製とすることができる。そして、リールシートの後端面とグリップ管の前端面との間に挟まれた支持筒体の環状鍔部を意匠リングとすることができ、リールシートとグリップ管との間の境界部分の外観を良好なものにできる。また、環状鍔部にリールシートの後端面とグリップ管の前端面を当接させることで、リールシートと支持筒体とグリップ管の前後方向の位置決めを容易に行うことができる。そして、リールシートの後端部とグリップ管の前端部を支持筒体を介して連結させることができる。
【発明の効果】
【００１７】
以上のように、リールシートの後側にグリップ管を備えてそのグリップ管に第一グリップ部と小径部と第二グリップ部が一体的に形成されているので、リニアな操作性やダイレクト感のある操作性が得られる。
【図面の簡単な説明】
【００１８】
【図１】本発明の一実施形態における釣竿の要部を示す斜視図。
【図２】同釣竿の要部の正面図。
【図３】同釣竿の要部の縦断面図。
【図４】同釣竿の要部の拡大縦断面図。
【図５】同釣竿の要部の拡大縦断面図。
【図６】同釣竿の要部の拡大縦断面図。
【図７】同釣竿の要部の拡大縦断面図。
【図８】同釣竿のグリップ管を示す斜視図。
【図９】同釣竿のグリップ管の製造に使用されるマンドレルを示す概略正面図。
【図１０】本発明の他の実施形態における釣竿の要部を示す縦断面図。
【発明を実施するための形態】
【００１９】
以下、本発明の一実施形態に係る釣竿について図１〜図９を参酌しつつ説明する。図１〜図３に示すように、本実施形態における釣竿は、図示しないリールを取り付けるためのリールシート１を備えたものであり、該リールシート１の後側にはグリップ管２を備えている。該リールシート１は、パイプシートとも称される筒状のものであって、釣竿の竿本体７，８（ブランク）の所定位置の外側に装着され、竿本体７，８に対して移動不能に固定されている。
【００２０】
本実施形態におけるリールシート１は、図示しない両軸リールを固定するためのものである。通常の使用状態において両軸リールは釣竿の上側に位置する。そのため、図１等では、使用状態に即して、両軸リールのリール脚の裏面を支持するためのリール脚取付部１１が上側を向くように図示している。尚、竿先側を前側と、竿尻側を後側とし、リール装着側を上側、それとは反対側を下側とする。
【００２１】
リールシート１は、竿本体７，８に対して移動不能に取り付けられている。リールシート１は、筒状のリールシート本体４と、該リールシート本体４に外装されて、リール脚の前端部を固定するための筒状の可動フード５と、該可動フード５を軸線方向に移動させると共に所望の位置に固定するための固定ナット６とを備えている。可動フード５と固定ナット６はリールシート本体４の前側に位置している。
【００２２】
リールシート本体４は、一つの部材から構成される。リールシート本体４の材質は、合成樹脂や金属等であってよいが、特には硬質の合成樹脂から射出成形により形成された樹脂成形品であることが好ましい。その合成樹脂は種々のものであってよいが、繊維強化樹脂が好ましく、特に、長さが１ｍｍ以下の短繊維を強化繊維とした繊維強化樹脂が好ましい。また、その繊維としてはカーボン繊維が好ましい。
【００２３】
図４及び図７のようにリールシート本体４には前後方向に貫通する竿挿通孔１０が形成されている。従って、リールシート本体４の前端面と後端面にはそれぞれ竿挿通孔１０が開口している。該竿挿通孔１０を竿本体７，８が挿通し、竿本体７，８の外周面にリールシート本体４が直接あるいはスペーサを介して接着固定されている。本実施形態では後述のようにスペーサを介さずに竿本体７，８に直接リールシート本体４が接着固定されている。リールシート本体４のリール装着側である上側にはリール脚が載置されるリール脚取付部１１が形成されている。該リール脚取付部１１の後側に固定フード部１２が一体的に形成されている。固定フード部１２はリールシート本体４の上側に形成されていて、軸線方向の前側に開口している。該固定フード部１２にリール脚の後端部が前側から挿入され、リール脚の後端部は固定フード部１２により保持される。リールシート本体４の前部の外周面には雄ネジ部１３が形成されている。
【００２４】
リールシート本体４の下面には指を引っ掛けるためのトリガ１５が下方に向けて突設されている。該トリガ１５は、固定フード部１２の略下方に位置している。リールシート本体４の下面であってトリガ１５の前側の位置には、窓孔１４が形成されている。該窓孔１４は竿挿通孔１０まで達していて、該窓孔１４から後述するジョイント竿体８が部分的に露出している。リールシート本体４の後端面には環状凹部１６が形成されている。該環状凹部１６は、竿挿通孔１０の後端開口部の外側に形成されていて、竿挿通孔１０の後端開口部とリールシート本体４の後端部外周面との間に位置している。環状凹部１６の大きさや深さは任意であるが、本実施形態では、環状凹部１６は、上部においては、固定フード部１２の内側まで達していて更には固定フード部１２を前側に越えてリール脚取付部１１の後部の内側まで延びており、また、下部においては、トリガ１５の内側まで延びている。従って、環状凹部１６が形成されている領域においては、竿挿通孔１０と環状凹部１６との間には、薄肉状の後部本体筒部１７が形成されている。尚、後部本体筒部１７の後端部はリールシート本体４の後端面よりも若干後側に突出している。
【００２５】
リールシート本体４の雄ネジ部１３に固定ナット６が螺着され、該固定ナット６の後側に可動フード５が位置する。リールシート本体４には、雄ネジ部１３を部分的に切り欠くようにして軸線方向に直線状に延びる図示しないガイド溝が形成されており、可動フード５は、リールシート本体４のガイド溝に案内されながら軸線方向にスライド移動する。可動フード５は固定ナット６に相対回転可能に係止されているので、固定ナット６を回転させると、可動フード５は回転することなく固定ナット６と共に前後に移動する。
【００２６】
可動フード５にはリール脚の前端部が後側から挿入され、リール脚の前端部は可動フード５によって保持される。可動フード５を後側に移動させると、可動フード５は固定フード部１２に接近し、可動フード５と固定フード部１２とによってリール脚を前後に狭持し、これによりリールを釣竿に固定することができる。また、可動フード５を前側に移動させる、即ち、固定フード部１２から離反させることでリール脚の固定状態が解除されて、リールを釣竿から取り外すことができる。
【００２７】
＜竿本体７，８＞
竿本体７，８は、メイン竿体７と、該メイン竿体７の後側に所定長さの重ね合わせ部を形成するようにして接合一体化されたジョイント竿体８とを備えている。メイン竿体７の後部とジョイント竿体８の前部とが接合一体化されている。メイン竿体７とジョイント竿体８はリールシート１の内側において接合されている。メイン竿体７はリールシート１から前側に延びていて、ジョイント竿体８はリールシート１から後側に延びている。ジョイント竿体８の内側にメイン竿体７が接合され、ジョイント竿体８の外側にリールシート１が装着されている。釣竿の種類は任意であって、並継ぎ竿や振出竿等であってよい。例えば、ワンピースロッドの場合にはメイン竿体７は穂先まで連続した一本構造であり、ツーピースロッドの場合にはメイン竿体７は穂先側の竿体と元側の竿体の二本構造となる。竿本体７，８は繊維強化樹脂製である。竿本体７，８は、管状である場合にはマンドレルにプリプレグを巻回し加熱焼成することによって形成される。強化繊維としてはカーボン繊維等の各種の繊維が使用できる。従って、ジョイント竿体８もマンドレルにプリプレグを巻回して形成できる。尚、メイン竿体７は中実状であってもよい。
【００２８】
＜ジョイント竿体８＞
ジョイント竿体８は、肉厚略一定の管体である。ジョイント竿体８は、全長に亘って径一定であったり、後側に向けて徐々に大径となるテーパ形状であったりしてもよいが、本実施形態では、三つの部分から構成されている。即ち、ジョイント竿体８は、前部を構成し、径一定であって大径の前側接合部４０と、後部を構成し、径一定であって小径の後側接合部４２と、中間部を構成し、後側に向けて徐々に小径となる逆テーパ形状の逆テーパ部４１とから構成されている。前側接合部４０にリールシート１が装着されている。詳細には、前側接合部４０の外周面にリールシート本体４の内周面が直接接着固定されている。前側接合部４０の前端部はリールシート本体４の前端部近傍に位置し、前側接合部４０の後端部はリールシート本体４の後端部近傍に位置している。従って、前側接合部４０はリールシート本体４に対応した長さであってリールシート本体４と略同じ長さであり、前側接合部４０の略全長にリールシート本体４の略全長が固定されている。リールシート本体４の窓孔１４から見える部分は前側接合部４０である。また、前側接合部４０の内側にメイン竿体７の後部が接合されている。メイン竿体７は前側接合部４０の全長に亘って接合されていてもよく、その接合長さは任意であるが、本実施形態では前側接合部４０の全長のうち前側の半分以上の長さ領域に接合されている。ジョイント竿体８の逆テーパ部４１と後側接合部４２がリールシート本体４から後側に突出している。ジョイント竿体８の後側接合部４２の外径はメイン竿体７の後端部の外径と略等しい。従って、前側接合部４０の外径と後側接合部４２の外径との差は、ジョイント竿体８の肉厚、詳細には、前側接合部４０の肉厚に対応したものとなっている。
【００２９】
＜グリップ管２＞
リールシート本体４の後側にグリップ管２が連結され、グリップ管２の後端部には尻栓３が装着されている。従って、グリップ管２はリールシート本体４と尻栓３との間の領域を構成している。グリップ管２は一つの薄肉状の硬質の管体から構成されている。グリップ管２の単体の状態を図８に示している。グリップ管２は、前後方向に三つの部分に区分され、前部を構成する大径の第一グリップ部２０と、後部を構成する大径の第二グリップ部２２と、第一グリップ部２０と第二グリップ部２２との間の中間部を構成する小径の小径部２１とを備えている。第二グリップ部２２は第一グリップ部２０から後方に離間している。グリップ管２は第一グリップ部２０でリールシート本体４と接合され、第二グリップ部２２に尻栓３が装着されている。従って、第一グリップ部２０はリールシート１の直後に位置し、第二グリップ部２２はリールシート１から所定距離後側に離れて位置していて尻栓３の直前に位置している。
【００３０】
第一グリップ部２０は前後二つの部分からなる。第一グリップ部２０は、前部を構成するストレート部２０ａと、後部を構成する逆テーパ部２０ｂとから構成されている。第一グリップ部２０のストレート部２０ａはグリップ管２の前端部を構成している。第一グリップ部２０のストレート部２０ａは、第一グリップ部２０の逆テーパ部２０ｂよりも短く、第一グリップ部２０の逆テーパ部２０ｂは第一グリップ部２０の大部分の長さ領域を構成している。第一グリップ部２０のストレート部２０ａは径一定であって、その外径はリールシート本体４の後端部の外径と略等しい。第一グリップ部２０の逆テーパ部２０ｂは第一グリップ部２０の主要部であって、後側に向けて徐々に小径となる逆テーパ形状となっている。第一グリップ部２０の逆テーパ部２０ｂの後端部における外径は逆テーパ部２０ｂの前端部における外径の７５％以上であることが好ましい。第一グリップ部２０の逆テーパ部２０ｂは、後側に向けて変化率一定で直線状に縮径していく形状であってもよいし、後側に向けて外側凹に湾曲しつつ縮径していく凹状湾曲形状であってもよいし、後側に向けて外側凸に湾曲しつつ縮径していく凸状湾曲形状であってもよい。
【００３１】
小径部２１は前後三つの部分からなる。小径部２１は、前部を構成する逆テーパ部２１ａと、中間部を構成するストレート部２１ｂと、後部を構成するテーパ部２１ｃからなる。小径部２１の逆テーパ部２１ａは、第一グリップ部２０の後側に隣接する部分であって、後側に向けて徐々に小径となる逆テーパ形状である。小径部２１の逆テーパ部２１ａは、後側に向けて変化率一定で直線状に縮径していく形状であってもよいし、後側に向けて外側凹に湾曲しつつ縮径していく凹状湾曲形状であってもよいし、後側に向けて外側凸に湾曲しつつ縮径していく凸状湾曲形状であってもよいが、好ましくは凹状湾曲形状であり、本実施形態では凹状湾曲形状となっている。小径部２１のストレート部２１ｂは径一定であって、その長さは任意であるが、本実施形態では逆テーパ部２１ａやテーパ部２１ｃよりも長い。小径部２１のテーパ部２１ｃは、後側に向けて徐々に大径となるテーパ形状である。小径部２１のテーパ部２１ｃは、後側に向けて変化率一定で直線状に拡径していく形状であってもよいし、後側に向けて外側凹に湾曲しつつ拡径していく凹状湾曲形状であってもよいし、後側に向けて外側凸に湾曲しつつ拡径していく凸状湾曲形状であってもよいが、好ましくは凹状湾曲形状であり、本実施形態では凹状湾曲形状となっている。小径部２１の前端部と後端部は互いに同一径であることが好ましい。
【００３２】
第二グリップ部２２の長さは任意であるが、本実施形態では第一グリップよりも長い。第二グリップ部２２は前後二つの部分からなる。第二グリップ部２２は、前部を構成するテーパ部２２ａと、後部を構成するストレート部２２ｂとから構成されている。第二グリップ部２２のストレート部２２ｂはテーパ部２２ａよりも短く、第二グリップ部２２のテーパ部２２ａは第二グリップ部２２の大部分の長さ領域を構成している。第二グリップ部２２のテーパ部２２ａは小径部２１の後側に隣接する部分であって第二グリップ部２２の主要部を構成している。第二グリップ部２２のテーパ部２２ａは、後側に向けて徐々に大径となるテーパ形状となっている。第二グリップ部２２のテーパ部２２ａの前端部における外径はテーパ部２２ａの後端部における外径の７０％以上であることが好ましい。第二グリップ部２２のテーパ部２２ａは、後側に向けて変化率一定で直線状に拡径していく形状であってもよいし、後側に向けて外側凹に湾曲しつつ拡径していく凹状湾曲形状であってもよいし、後側に向けて外側凸に湾曲しつつ拡径していく凸状湾曲形状であってもよい。第二グリップ部２２のストレート部２２ｂはグリップ管２の後端部を構成している。第二グリップ部２２のストレート部２２ｂは径一定であって、その内側に尻栓３が装着されている。第二グリップ部２２のストレート部２２ｂは第一グリップ部２０のストレート部２０ａと同径であってもよいし第一グリップ部２０のストレート部２０ａよりも小径であってもよいが、本実施形態では第一グリップ部２０のストレート部２０ａよりも大径となっている。
【００３３】
第一グリップ部２０と小径部２１との境界部分、及び、第二グリップ部２２と小径部２１との境界部分には、それぞれ環状角部２３，２４が形成されている。前側の環状角部２３によって第一グリップ部２０と小径部２１が明確に区画され、後側の環状角部２４によって第二グリップ部２２と小径部２１が明確に区画されている。環状角部２３，２４は、グリップ管２をその中心線を含んだ平面で切断した縦断面視において径方向外側に突出する山形の形状であり、全周に亘って形成されている。その環状角部２３，２４において前後に隣り合う二つの面部は折れ曲がったような形状となっており、環状角部２３，２４においてグリップ管２の外周面は径方向外側に尖ったエッジ状となっている。
【００３４】
＜グリップ管２の製造＞
グリップ管２は繊維強化樹脂製であって、竿本体７，８と同様の製造方法により製造できる。即ち、マンドレルにプリプレグを貼り付けて加熱焼成することで管状に形成できる。図９に示すようにマンドレル９０，９１は前後二分割の構成とされる。図９において符号９２で示している領域がグリップ管２の形成領域である。不図示のプリプレグを貼り付ける際には、図９（ａ）のように前側のマンドレル９０と後側のマンドレル９１を前後に接合して一体化した状態とする。マンドレル９０，９１を管体から抜く際には、前側のマンドレル９０については前側に引き抜き、後側のマンドレル９１については後側に引き抜く。前側のマンドレル９０と後側のマンドレル９１は、グリップ管２の小径部２１のストレート部２１ｂに対応したマンドレル９０，９１のストレート部９０ａ，９１ａにおいて前後に分割されていて、そのストレート部９０ａ，９１ａにおいて接合されて一体化される。従って、前側のマンドレル９０はその後部にストレート部９０ａを有し、後側のマンドレル９１はその前部にストレート部９１ａを有している。このようにストレート部９０ａ，９１ａにおいて前後のマンドレル９０，９１を接合することが好ましい。ストレート部９０ａ，９１ａの長さが異なる種々の前後のマンドレル９０，９１を作成しておくことで、それらを適宜組み合わせることによって、小径部２１のストレート部２１ｂの長さを容易に変更でき、小径部２１のストレート部２１ｂの長さが異なる種々のグリップ管２を容易に製造することができる。
【００３５】
＜尻栓３＞
図６のように、グリップ管２の後端部に尻栓３が装着されている。尻栓３は、支持部材３０と緩衝部材３１とを備えている。支持部材３０は硬質の合成樹脂製や金属製であって、特には金属製が好ましい。緩衝部材３１はゴム製が好ましい。支持部材３０は、グリップ管２の後端部の内側に挿入される挿入筒部３０ａを備えている。挿入筒部３０ａは、グリップ管２の第二グリップ部２２のストレート部２２ｂの内側に挿入されていて、そのストレート部２２ｂを内側から支持し補強している。挿入筒部３０ａの外周面がグリップ管２の第二グリップ部２２のストレート部２２ｂの内周面に接着されている。尚、挿入筒部３０ａの長さは、グリップ管２の第二グリップ部２２のストレート部２２ｂの長さよりも短い。支持部材３０の後部はグリップ管２の後端部から後方に突出している。支持部材３０の後方突出部に緩衝部材３１が外側から装着されている。
【００３６】
＜支持筒体９＞
図７に示すように、リールシート本体４とグリップ管２との間に支持筒体９を備えている。グリップ管２の前端部が支持筒体９によってリールシート本体４の後端部に連結されている。支持筒体９はその長さがリールシート本体４やグリップ管２に比して短い。支持筒体９は、径方向外側に突出する環状鍔部５１と、該環状鍔部５１から前側に延びる前筒部５０と、環状鍔部５１から後側に延びる後筒部５２とを備えている。支持筒体９の前筒部５０は、リールシート本体４の環状凹部１６の内側に挿入されている。支持筒体９の前筒部５０の外周面がリールシート本体４の環状凹部１６の外側の壁面に接着されている。支持筒体９の後筒部５２は、グリップ管２の第一グリップ部２０のストレート部２０ａの内側に挿入されている。支持筒体９の後筒部５２の外周面がグリップ管２の第一グリップ部２０のストレート部２０ａの内周面に接着されている。支持筒体９の後筒部５２はグリップ管２の第一グリップ部２０のストレート部２０ａを内側から支持し補強している。支持筒体９の後筒部５２の長さはグリップ管２の第一グリップ部２０のストレート部２０ａの長さと略等しい。従って、支持筒体９の後筒部５２は、グリップ管２の第一グリップ部２０のストレート部２０ａを全周且つ全長に亘って内側から支持している。グリップ管２の第一グリップ部２０のストレート部２０ａの内径は、リールシート本体４の環状凹部１６の外側の壁面の直径よりも大きい。従って、後筒部５２の外径は前筒部５０の外径よりも大きい。
【００３７】
環状鍔部５１は、リールシート本体４の後端面とグリップ管２の前端面との間に挟まれている。環状鍔部５１の前面がリールシート本体４の後端面に当接し、環状鍔部５１の後面がグリップ管２の前端面に当接している。支持筒体９の外周面のうち環状鍔部５１の外周面のみが外部から視認できる。環状鍔部５１の外径はグリップ管２の第一グリップ部２０のストレート部２０ａの外径よりも若干小さく、従って、環状鍔部５１の外周面はグリップ管２の第一グリップ部２０のストレート部２０ａの外周面よりも一段内側に位置している。支持筒体９は金属製とされることが好ましく、リールシート本体４とグリップ管２の間に環状鍔部５１がリング状に位置することで美感と質感が向上する。尚、リールシート本体４の後部本体筒部１７は、支持筒体９の内側に間隔をあけて位置する。リールシート本体４の後部本体筒部１７の後端部は支持筒体９の後筒部５２の内側まで延びている。
【００３８】
ジョイント竿体８は支持筒体９の内側を通ってグリップ管２の内側に進入している。ジョイント竿体８はグリップ管２の第一グリップ部２０を通過して小径部２１の内側まで延びている。ジョイント竿体８の後側接合部４２がグリップ管２の小径部２１のストレート部２１ｂまで到達していて、ジョイント竿体８の後側接合部４２の外周面がグリップ管２の小径部２１のストレート部２１ｂの内周面と接着固定されている。ジョイント竿体８の後側接合部４２がグリップ管２の小径部２１のストレート部２１ｂを内側から支持していて、ジョイント竿体８を介してリールシート本体４とグリップ管２とが連結され、ジョイント竿体８を介してメイン竿体７とグリップ管２とが連結されている。グリップ管２の第一グリップ部２０及び小径部２１の逆テーパ部２１ａとジョイント竿体８との間には環状の空洞部が形成されている。該環状の空洞部は前側に向かって徐々に拡大している。
【００３９】
ジョイント竿体８の後側接合部４２とグリップ管２の小径部２１のストレート部２１ｂとの重ね合わせ部の長さは種々であってよいが、好ましくは、グリップ管２の小径部２１のストレート部２１ｂの半分以上の長さとされる。本実施形態において、ジョイント竿体８の後端部はグリップ管２の小径部２１のストレート部２１ｂの内側に留まっているが、グリップ管２の小径部２１のストレート部２１ｂを後側に越えてグリップ管２の小径部２１のテーパ部２１ｃの内側まで延びていてもよいし、第二グリップ部２２の内側まで延びていてもよい。
【００４０】
以上のように構成された釣竿にあっては、グリップ管２に第一グリップ部２０と第二グリップ部２２が一体的に形成されているため、コルク等から形成された別体構成のグリップ部に比して振動伝達特性に優れており、第一グリップ部２０や第二グリップ部２２から振動が手にダイレクトに伝わることになる。また、第一グリップ部２０や第二グリップ部２２を強く把持しても変形しにくく、第一グリップ部２０や第二グリップ部２２に手を強く押し付けたりしても変形しにくい。従って、リニアな操作性が得られる。
【００４１】
また、キャストを行う際にも、第一グリップ部２０や第二グリップ部２２が変形しにくいので、把持する手がぶれにくく、リニアでダイレクト感のあるキャストフィールが得られる。特に、ダブルハンドキャストの場合、第一グリップ部２０と第二グリップ部２２が一つの部材であるグリップ管２に一体的に形成されているため、第一グリップ部２０を把持する手と第二グリップ部２２を把持する手との一体感が強く、グリップ管２を両手でしっかりと把持してキャストすることができる。従って、重いルアーであっても、ぶれなくキャストすることができ、また、微妙なコントロールも行いやすい。
【００４２】
また、第一グリップ部２０と小径部２１との境界部分と第二グリップ部２２と小径部２１との境界部分にそれぞれ環状角部２３，２４が形成されていて、それらの環状角部２３，２４によって第一グリップ部２０と第二グリップ部２２がそれぞれ小径部２１とは明確に区画されているので、第一グリップ部２０や第二グリップの範囲を触感によって容易に認識することができる。従って、第一グリップ部２０や第二グリップ部２２を確実且つ容易に把持することができる。更に、前側の環状角部２３によって第一グリップ部２０を把持する手が後側に位置ずれしにくくなり、前側の環状角部２３の後側に小指等の指を引っ掛けることもできる。そのため、第一グリップ部２０をしっかりと把持することができ、また、手の疲労も軽減できる。同様に、後側の環状角部２４によって第二グリップ部２２を把持する手が前側に位置ずれしにくくなり、後側の環状角部２４の前側に人差し指等の指を引っ掛けることもできる。そのため、特に、ダブルハンドキャストを行う場合において、両手が滑りにくくなり、重いルアーであっても容易にキャストすることができ、疲労も軽減できる。
【００４３】
また更に、前側の環状角部２３に隣接している小径部２１の逆テーパ部２１ａと後側の環状角部２４に隣接している小径部２１のテーパ部２１ｃが、何れも凹状湾曲形状となっていて前後の環状角部２３，２４に向けて迫り上がった形状となっているので、前後の環状角部２３，２４の凸形状が際立つことになり、第一グリップ部２０と第二グリップ部２２がより一層明確に区画されることになる。また、前側の環状角部２３の後側に指を引っ掛けたり後側の環状角部２４の前側に指を引っ掛けたりする際に、指の引っ掛かり具合が良好になる。
【００４４】
また、グリップ管２の小径部２１に竿本体７，８を連結させているので、竿本体７，８からグリップ管２に振動が直接伝達され、その振動がグリップ管２から手にダイレクトに伝わる。即ち、竿本体７，８に伝わる振動は、竿本体７，８からリールシート本体４に伝達されてそのリールシート本体４から手に伝達されると共に、竿本体７，８からグリップ管２にも伝達されてそのグリップ管２から手に伝達されることになる。そのため、魚の小さなアタリ等の微小振動であっても、手の平で高感度にキャッチすることができる。そして、グリップ管２の第一グリップ部２０は竿本体７，８から径方向外側に離間しており、グリップ管２の第一グリップ部２０と竿本体７，８との間には環状の空洞部が存在している。また、第二グリップ部２２の内側も全体が空洞となっている。そのため、グリップ管２の第一グリップ部２０や第二グリップ部２２を特定の周波数で共振させることができる。特に、小径部２１の逆テーパ部２１ａと第一グリップ部２０の逆テーパ部２０ｂによって小径部２１のストレート部２１ｂから前側に離れる程にグリップ管２が拡径していく形状となっており、しかも、内側の空洞部も小径部２１のストレート部２１ｂから前側に離れる程に拡大しているので、小径部２１のストレート部２１ｂに竿本体７，８から伝達された振動がホーン効果によって増幅されて第一グリップ部２０に伝わる。また、小径部２１のテーパ部２１ｃと第二グリップ部２２のテーパ部２２ａによって、小径部２１のストレート部２１ｂから後側に離れる程にグリップ管２が拡径していく形状となっているので、小径部２１のストレート部２１ｂに竿本体７，８から伝達された振動がホーン効果によって後側に増幅されて第二グリップ部２２に伝わる。
【００４５】
また、グリップ管２の小径部２１を竿本体７，８で内側から支持する構成となっているので、グリップ管２を確実に固定することができる。しかも、グリップ管２の小径部２１にストレート部２１ｂを設けていてその小径部２１のストレート部２１ｂが竿本体７，８によって支持されているので、グリップ管２をぐらつきなくしっかりと固定することができる。そのようにグリップ管２の小径部２１のストレート部２１ｂを竿本体７，８で内側からしっかりと支持固定したうえで更に大径であるグリップ管２の前端部を支持筒体９の後筒部５２によって内側から支持しているので、グリップ管２を確実に安定化させることができる。そして、支持筒体９を介してリールシート本体４にグリップ管２の前端部が連結固定されているので、リールシート本体４の後側にグリップ管２を確実に接合させることができる。従って、第一グリップ部２０や第二グリップ部２２を強く把持してもグリップ管２がぐらつくことがなく、安定して把持することができる。
【００４６】
しかも、メイン竿体７の後側にメイン竿体７とは別体のジョイント竿体８を接合して、そのジョイント竿体８でグリップ管２の小径部２１のストレート部２１ｂを支持するようにしているので、メイン竿体７の設計上の制約が少なくなり、メイン竿体７の調子を容易に設定できる。一方、ジョイント竿体８がメイン竿体７と別体であるため、ジョイント竿体８の太さをグリップ管２の小径部２１のストレート部２１ｂに容易に適合させることができる。更に、ジョイント竿体８の外側にリールシート本体４を装着してジョイント竿体８の内側にメイン竿体７を接合しているので、メイン竿体７のバット部を細く設計することができ、リールシート１から前側に延びるメイン竿体７の美感に優れる。また、ジョイント竿体８の外径をリールシート本体４の竿挿通孔１０の直径に容易に適合させることができ、ジョイント竿体８の外周面に直接リールシート本体４を接着固定することができる。
【００４７】
また更に、ジョイント竿体８が逆テーパ部４１を備えているので、グリップ管２の小径部２１のストレート部２１ｂを容易に小径化することができる。従って、第一グリップ部２０と第二グリップ部２２との間に大きな括れ形状である小径部２１を形成することができ、その小径部２１によって第一グリップ部２０と第二グリップ部２２を明確なグリップ形状とすることができる。
【００４８】
また、支持筒体９に環状鍔部５１を設けてその環状鍔部５１をリールシート本体４とグリップ管２との間から表出させることで、美感を向上させることができる。特に、支持筒体９を金属製とすると、支持筒体９を薄肉化することができるうえに、環状鍔部５１の外周面の美感と質感を向上させることができる。また、環状鍔部５１の前後両面にそれぞれリールシート本体４とグリップ管２を当接させることで、リールシート本体４に対するグリップ管２の位置を確実に位置決めすることができる。
【００４９】
尚、本実施形態では、ジョイント竿体８がグリップ管２の小径部２１のストレート部２１ｂに接合された構成であったが、例えば図１０のようにジョイント竿体８を尻栓３まで延長して尻栓３と連結させてもよい。このようにジョイント竿体８を尻栓３と連結する場合、例えば尻栓３の支持部材３０にジョイント竿体８の後端部を重ね合わせて接合する構成とすることができる。図１０に示した構成では、ジョイント竿体８はグリップ管２の小径部２１のストレート部２１ｂよりも小径であってグリップ管２の小径部２１のストレート部２１ｂには接合されていないが、尻栓３にジョイント竿体８を連結すると共にグリップ管２の小径部２１のストレート部２１ｂにジョイント竿体８を接合させる構成としてもよい。また、ジョイント竿体８を尻栓３に連結する場合において、グリップ管２の小径部２１にストレート部２１ｂを設けなくてもよい。
【００５０】
また、上記実施形態ではメイン竿体７とは別体のジョイント竿体８を備えていたが、ジョイント竿体８を備えずにメイン竿体７をそのまま後側に延長してグリップ管２の小径部２１や尻栓３と連結させてもよい。また、メイン竿体７にリールシート本体４を直接又はスペーサを介して装着してもよい。
【００５１】
更に、リールシート本体４とグリップ管２との間に支持筒体９を備えてその支持筒体９の後筒部５２によってグリップ管２の前端部を内側から支持したが、リールシート本体４の後端面に後側に延びる筒部を一体的に形成して、その筒部をグリップ管２の内側に挿入してその筒部でグリップ管２の前端部を内側から支持するようにしてもよい。
【００５２】
尚、グリップ管２は合成樹脂製の成形品としてもよく、また、金属製であってもよい。
【００５３】
更に、両軸リール用のリールシート１が装着された釣竿について説明したが、スピニングリール用のリールシートが装着された釣竿でもよい。
【符号の説明】
【００５４】
１    リールシート
２    グリップ管
３    尻栓
４    リールシート本体
５    可動フード
６    固定ナット
７    メイン竿体（竿本体）
８    ジョイント竿体（竿本体）
９    支持筒体
１０    竿挿通孔
１１    リール脚取付部
１２    固定フード部
１３    雄ネジ部
１４    窓孔
１５    トリガ
１６    環状凹部
１７    後部本体筒部
２０    第一グリップ部
２０ａ  ストレート部
２０ｂ  逆テーパ部
２１    小径部
２１ａ  逆テーパ部
２１ｂ  ストレート部
２１ｃ  テーパ部
２２    第二グリップ部
２２ａ  テーパ部
２２ｂ  ストレート部
２３    前側の環状角部
２４    後側の環状角部
３０    支持部材
３０ａ  挿入筒部
３１    緩衝部材
４０    前側接合部
４１    逆テーパ部
４２    後側接合部
５０    前筒部
５１    環状鍔部
５２    後筒部
９０    前側のマンドレル
９０ａ  ストレート部
９１    後側のマンドレル
９１ａ  ストレート部
９２    グリップ管の形成領域
【図１】
2019097508.tif 000003
【図２】
2019097508.tif 000004
【図３】
2019097508.tif 000005
【図４】
2019097508.tif 000006
【図５】
2019097508.tif 000007
【図６】
2019097508.tif 000008
【図７】
2019097508.tif 000009
【図８】
2019097508.tif 000010
【図９】
2019097508.tif 000011
【図１０】
2019097508.tif 000012